(57)【要約】【課題】登録すべき掲示板を名称にて設定することができ、また、掲示板の名称に数字以外の文字列を自由に使用することができるファクシミリ通信方法及びファクシミリ装置を提供する。【解決手段】ディジタル識別信号ＤＩＳと共に、被呼側ファクシミリ装置ＦＲが有する掲示板の名称情報が盛り込まれたＮＳＦデータが発呼側ファクシミリ装置ＦＳへ通知される。通知された掲示板の名称情報に基づき、登録すべき掲示板が発呼側ファクシミリ装置ＦＳで決定され、決定された掲示板の名称情報が盛り込まれたＮＳＳデータが，ディジタル命令信号ＤＣＳと共に、発呼側ファクシミリ装置ＦＳから被呼側ファクシミリ装置ＦＲへ送信される。登録対象の画データが、発呼側ファクシミリ装置ＦＳから被呼側ファクシミリ装置ＦＲへ伝送され、伝送された画データは、指定された掲示板に登録される。【選択図】        図４
2004328162.tif 000002
【特許請求の範囲】
【請求項１】
被呼側の第１ファクシミリ装置から掲示板機能を有することを発呼側の第２ファクシミリ装置へ通知し、前記第２ファクシミリ装置から掲示板名称及び画データを前記第１ファクシミリ装置へ送信し、前記第１ファクシミリ装置にて受信した前記掲示板名称及び画データを記憶することを特徴とするファクシミリ通信方法。
【請求項２】
ファクシミリ通信における非標準機能を利用して、前記第２ファクシミリ装置から前記第１ファクシミリ装置へ前記掲示板名称を送信することを特徴とする請求項１記載のファクシミリ通信方法。
【請求項３】
他のファクシミリ装置から該他のファクシミリ装置が掲示板機能を有することを受信する手段と、前記他のファクシミリ装置へ掲示板名称及び画データを送信する手段とを備えることを特徴とするファクシミリ装置。
【請求項４】
自身が掲示板機能を有することを他のファクシミリ装置へ送信する手段と、前記他のファクシミリ装置から掲示板名称及び画データを受信する手段と、受信した前記掲示板名称及び画データを記憶する手段とを備えることを特徴とするファクシミリ装置。
【発明の詳細な説明】
【０００１】
【発明の属する技術分野】
本発明は、ファクシミリ送受信を行うファクシミリ通信方法及びファクシミリ装置に関し、特に、掲示板機能を有するファクシミリ通信方法及びファクシミリ装置に関する。
【０００２】
【従来の技術】
受信した原稿の画データを掲示板に登録しておく掲示板機能を利用したファクシミリ通信方法が知られている（例えば、特許文献１参照）。図８は、ファクシミリ装置が有する従来の掲示板機能を示す模式図である。この例では、サブアドレス及びパスワードで夫々特定される３種類の掲示板Ａ，Ｂ，Ｃが設けられている。
【０００３】
発呼側ファクシミリ装置が、ＦコードのＳＵＢコードに掲示板番号（サブアドレス及びパスワード）を設定し、その設定番号と登録すべき原稿の画データとを被呼側ファクシミリ装置へ送信する。被呼側ファクシミリ装置は、ＳＵＢコードから掲示板番号（サブアドレス及びパスワード）を取り出し、掲示板番号で特定される掲示板に、受信した原稿の画データを登録する。このようにして掲示板に登録された画データは、別のファクシミリ装置からポーリングによって読み出すことが可能である。
【０００４】
【特許文献１】
特開２００１−１０３２２１号公報
【０００５】
【発明が解決しようとする課題】
特許文献１の手法では、Ｆコードを利用して掲示板へ画データを登録することができる。しかしながら、Ｆコードでは数字しか取り扱えないので、掲示板番号にて登録すべき掲示板を設定している。この場合、掲示板番号（サブアドレス及びパスワード）と掲示板名称（Ａ，Ｂ，Ｃ）との対応関係が分かりにくいので、ユーザが不便を感じるという問題がある。また、掲示板番号が対応付けられていない掲示板名称は使用できないという問題もある。
【０００６】
本発明は斯かる事情に鑑みてなされたものであり、登録すべき掲示板を名称にて設定することができ、また、掲示板の名称に数字以外の文字列を自由に使用することができて、ユーザの利用勝手の向上を図れるファクシミリ通信方法及びファクシミリ装置を提供することを目的とする。
【０００７】
【課題を解決するための手段】
請求項１に係るファクシミリ通信方法は、被呼側の第１ファクシミリ装置から掲示板機能を有することを発呼側の第２ファクシミリ装置へ通知し、前記第２ファクシミリ装置から掲示板名称及び画データを前記第１ファクシミリ装置へ送信し、前記第１ファクシミリ装置にて受信した前記掲示板名称及び画データを記憶することを特徴とする。
【０００８】
請求項１にあっては、被呼側の第１ファクシミリ装置から掲示板機能を有する通知を受けた場合、発呼側の第２ファクシミリ装置は掲示板名称及び画データを第１ファクシミリ装置へ送信し、第１ファクシミリ装置は、受信した名称の掲示板に受信した画データを登録する。よって、番号ではなく名称にて、登録すべき掲示板を発呼側から設定できるようになり、ユーザの利用勝手が良くなる。
【０００９】
請求項２に係るファクシミリ通信方法は、請求項１において、ファクシミリ通信における非標準機能を利用して、前記第２ファクシミリ装置から前記第１ファクシミリ装置へ前記掲示板名称を送信することを特徴とする。
【００１０】
請求項２にあっては、ファクシミリ通信での勧告Ｔ．３０における非標準機能（ＮＳＦ）を利用して、数字以外の文字列を含む掲示板名称を送信する。よって、掲示板の名称に、数字以外の自由な文字列を使用できる。
【００１１】
請求項３に係るファクシミリ装置は、他のファクシミリ装置から該他のファクシミリ装置が掲示板機能を有することを受信する手段と、前記他のファクシミリ装置へ掲示板名称及び画データを送信する手段とを備えることを特徴とする。
【００１２】
請求項３の発呼側のファクシミリ装置にあっては、他のファクシミリ装置から掲示板機能を有することを受信した場合、掲示板名称及び画データを他のファクシミリ装置へ送信する。よって、名称による掲示板の設定が可能であり、掲示板を利用し易くなる。
【００１３】
請求項４に係るファクシミリ装置は、自身が掲示板機能を有することを他のファクシミリ装置へ送信する手段と、前記他のファクシミリ装置から掲示板名称及び画データを受信する手段と、受信した前記掲示板名称及び画データを記憶する手段とを備えることを特徴とする。
【００１４】
請求項４の被呼側のファクシミリ装置にあっては、自身が掲示板機能を有するという通知に対して他のファクシミリ装置から掲示板名称及び画データを受信した場合、受信した名称の掲示板に受信した画データを登録する。よって、名称にて掲示板を管理することができる。
【００１５】
【発明の実施の形態】
以下、本発明をその実施の形態を示す図面を参照して具体的に説明する。
図１は、公衆回線（ＰＳＴＮ）を介して接続される本発明のファクシミリ装置ＦＳ，ＦＲを示しており、ここでは、発呼側ファクシミリ装置ＦＳの内部構成も併せて示している。なお、被呼側ファクシミリ装置ＦＲの内部構成は、発呼側ファクシミリ装置ＦＳの内部構成と基本的に同一であるので、その図示は省略している。
【００１６】
以下、発呼側ファクシミリ装置ＦＳを例として、本発明のファクシミリ装置の構成を説明する。発呼側ファクシミリ装置ＦＳは、制御部１，読取部２，記録部３，表示部４，操作部５，ＲＯＭ６，ＲＡＭ７，画像メモリ８，掲示板登録部９，モデム１０，ＮＣＵ（Ｎｅｔｗｏｒｋ  Ｃｏｎｔｒｏｌ  Ｕｎｉｔ）１１などを備えている。制御部１は、具体的にはＣＰＵで構成されており、バス１２を介して発呼側ファクシミリ装置ＦＳの上述したようなハードウェア各部と接続されていて、それらを制御すると共に、ＲＯＭ６に格納されたコンピュータプログラムに従って、種々のソフトウェア的機能を実行する。
【００１７】
読取部２は、例えばＣＣＤを利用したスキャナで原稿を読み取り、読み取った画データを出力する。記録部３は、電子写真方式のプリンタ装置であって、ファクシミリ通信により受信した画データ、または、読取部２にて読み取った原稿の画データをハードコピーとしてプリントアウトする。
【００１８】
表示部４は、液晶表示装置またはＣＲＴディスプレイ等の表示装置であり、ファクシミリ装置の動作状態を表示したり、送信すべく読み取った原稿の画データまたは受信した画データの表示を行う。操作部５は、ファクシミリ装置を操作するために必要な各種のファンクションキーを備えている。なお、表示部４をタッチパネル方式とすることにより、操作部５の各種のファンクションキーの内の一部または全部を代用することも可能である。
【００１９】
ＲＯＭ６は、ファクシミリ装置の動作に必要な種々のソフトウェアのプログラム（ファクシミリ通信の動作プログラム，後述する処理の動作プログラムなど）を予め格納している。ＲＡＭ７は、ＳＲＡＭまたはフラッシュメモリ等で構成され、ソフトウェアの実行時に発生する一時的なデータを記憶する。画像メモリ８は、ＤＲＡＭ等で構成され、送信すべき画データまたは受信した画データを蓄積する。また、掲示板登録部９は、名称で特定される１または複数の掲示板を有しており、各掲示板に受信した原稿の画データを登録する。図２は、この掲示板構造の一例を示す図であり、掲示板ルート（ＩＤ：０００１）にリンクさせて、名称が掲示板Ａ（ＩＤ：０００２），掲示板Ｂ（ＩＤ：０００３）である２つの掲示板が設けられている。
【００２０】
モデム１０は、バス１２に接続されており、ファクシミリ通信が可能なファクスモデムから構成されている。また、モデム１０は、同様にバス１２に接続されたＮＣＵ１１と直接的に接続されている。ＮＣＵ１１は、公衆回線（ＰＳＴＮ）の閉結及び開放の動作を行うハードウェアであり、必要に応じてモデム１０を公衆回線と接続する。
【００２１】
次に、動作について説明する。図３は、ファクシミリ通信における発呼側ファクシミリ装置ＦＳと被呼側ファクシミリ装置ＦＲとの間での信号のやりとりを示すタイミングチャートであり、この信号の送受信は勧告Ｔ．３０に基づくものである。本発明では、このような信号のやりとりにおいて、掲示板の名称を表す文字列の情報は、非標準機能であるＮＳＦ，ＮＳＳを利用して送受信を行う。なお、このような掲示板の名称情報の伝送形態として、以下のような２種の例が存在する。
【００２２】（第１例）
被呼側ファクシミリ装置ＦＲが有する掲示板の名称情報をＮＳＦデータに盛り込んで発呼側ファクシミリ装置ＦＳへ通知する処理と、発呼側ファクシミリ装置ＦＳで決定した登録対象の掲示板の名称情報をＮＳＳデータに盛り込んで被呼側ファクシミリ装置ＦＲへ送信する処理とを、一連の信号のやりとりで行うのが第１例である。
【００２３】
図４は、第１例における発呼側ファクシミリ装置ＦＳと被呼側ファクシミリ装置ＦＲとの間での信号のやりとりを示すタイミングチャート、図５（Ｓ１〜Ｓ５）は、発呼側ファクシミリ装置ＦＳの動作手順を示すフローチャート、図６（Ｓ１１〜Ｓ１５）は、被呼側ファクシミリ装置ＦＲの動作手順を示すフローチャートである。
【００２４】
発呼トーンＣＮＧが発呼側ファクシミリ装置ＦＳから被呼側ファクシミリ装置ＦＲへ送られると（Ｓ１，Ｓ１１：ＹＥＳ）、被呼局識別ＣＥＤが被呼側ファクシミリ装置ＦＲから発呼側ファクシミリ装置ＦＳへ返される。そして、ディジタル識別信号ＤＩＳと共に、被呼側ファクシミリ装置ＦＲが有する掲示板の名称情報が盛り込まれたＮＳＦデータが発呼側ファクシミリ装置ＦＳへ通知される（Ｓ２，Ｓ１２）。
【００２５】
ここで、送信されるＮＳＦのデータフォーマットについて説明する。ＮＳＦの基本データフォーマットは、フォルダＩＤ（そのフォルダを特定するＩＤ），フォルダ名（そのフォルダの名称）及び親フォルダＩＤ（そのフォルダの上に位置するフォルダを特定するＩＤ）を１単位として、１フォルダ毎に繰り返したものである。よって、被呼側ファクシミリ装置ＦＲが図２に示したような掲示板構造を有している場合、送信されるＮＳＦデータは、０００１／掲示板ルート／，０００２／掲示板Ａ／０００１，０００３／掲示板Ｂ／０００１となる。
【００２６】
通知された掲示板の名称情報に基づき、登録すべき掲示板が発呼側ファクシミリ装置ＦＳで決定され（Ｓ３）、その決定された掲示板の名称情報が盛り込まれたＮＳＳが、ディジタル命令信号ＤＣＳと共に、発呼側ファクシミリ装置ＦＳから被呼側ファクシミリ装置ＦＲへ送信される（Ｓ４，Ｓ１３）。ここで、登録すべき掲示板のＩＤをＮＳＳに設定する。例えば、図２の掲示板Ａを登録すべき掲示板と決定した場合、送信されるＮＳＳデータは、０００２／掲示板Ａとなる。
【００２７】
その後、登録対象の画データが、発呼側ファクシミリ装置ＦＳから被呼側ファクシミリ装置ＦＲへ伝送される（Ｓ５，Ｓ１４）。この伝送された画データは、被呼側ファクシミリ装置ＦＲの掲示板登録部９により、指定された掲示板に登録される（Ｓ１５）。
【００２８】（第２例）
被呼側ファクシミリ装置ＦＲが有する掲示板の名称情報をＮＳＦデータに盛り込んで発呼側ファクシミリ装置ＦＳへ通知する第１処理と、発呼側ファクシミリ装置ＦＳで決定した登録対象の掲示板の名称情報をＮＳＳデータに盛り込んで被呼側ファクシミリ装置ＦＲへ送信する第２処理とを、別々の通信処理に分けて行うのが第２例である。
【００２９】
図７（ａ），（ｂ）は、第２例における発呼側ファクシミリ装置ＦＳと被呼側ファクシミリ装置ＦＲとの間での信号のやりとりを示すタイミングチャートであり、  図７（ａ）は第１処理、図７（ｂ）は第２処理における信号のやりとりを夫々示している。
【００３０】
図７（ａ）に示すように、発呼トーンＣＮＧが発呼側ファクシミリ装置ＦＳから被呼側ファクシミリ装置ＦＲへ送られると、被呼局識別ＣＥＤが被呼側ファクシミリ装置ＦＲから発呼側ファクシミリ装置ＦＳへ返される。そして、ディジタル識別信号ＤＩＳと共に、被呼側ファクシミリ装置ＦＲが有する掲示板の名称情報が盛り込まれたＮＳＦデータが発呼側ファクシミリ装置ＦＳへ通知される。そして、ＮＳＦデータが発呼側ファクシミリ装置ＦＳで受信された後に、回線が切断される。
【００３１】
回線切断後、通知された掲示板の名称情報に基づき、登録すべき掲示板を発呼側ファクシミリ装置ＦＳで決定する。決定した後、図７（ｂ）に示すように、回線が再び接続されて、発呼トーンＣＮＧ，被呼局識別ＣＥＤ，ディジタル識別信号ＤＩＳのやりとりが行われる。そして、その決定された掲示板の名称情報が盛り込まれたＮＳＳデータが，ディジタル命令信号ＤＣＳと共に、発呼側ファクシミリ装置ＦＳから被呼側ファクシミリ装置ＦＲへ送信される。以下の動作は、第１例と同様である。
【００３２】
なお、第２例におけるＮＳＦ及びＮＳＳのデータフォーマットは、第１例の場合と同様であるのでその説明は省略する。
【００３３】
上述した第１例は、プロトコル規格の関係上、ＮＳＦデータを受信した後の３０秒以内にＮＳＳデータを送出する必要があって、登録すべき掲示板の決定時間に制約があるが、一連の処理で全体動作を完了するため、処理時間が短くて済む。これに対して、上述した第２例は、処理を２段階に分けているので、全体の処理時間は長くかかるが、一旦回線を切断した後に登録すべき掲示板を決定するため、被呼側ファクシミリ装置ＦＲが有する掲示板の情報に鑑みてゆっくりと、その決定を行うことができる。
【００３４】
なお、上述した例では、既設の掲示板に原稿の画データを登録する場合について説明したが、発呼側ファクシミリ装置ＦＳから被呼側ファクシミリ装置ＦＲに新規に掲示板を設けさせて、その新設の掲示板へ画データを登録することも可能である。このような場合、例えば図２の構造に加えて新規の掲示板Ｃを設けようとするときには、送信されるＮＳＳデータは、０００４／掲示板Ｃ／０００１となる。また、被呼側ファクシミリ装置ＦＲにおける既設の掲示板を、発呼側ファクシミリ装置ＦＳから消去することも可能である。
【００３５】
【発明の効果】以上のように本発明のファクシミリ通信方法では、被呼側ファクシミリ装置から掲示板機能を有する通知を受けた場合、発呼側ファクシミリ装置は掲示板名称及び画データを被呼側ファクシミリ装置へ送信し、被呼側ファクシミリ装置は、受信した名称の掲示板に受信した画データを登録するようにしたので、番号ではなく名称にて、登録すべき掲示板を発呼側から設定できるようになり、ユーザの利用勝手を向上できると共に、掲示板の名称に数字以外の文字列を自由に使用することができる。
【００３６】
また、本発明のファクシミリ通信方法では、ファクシミリ通信での勧告Ｔ．３０における非標準機能（ＮＳＦ）を利用して、数字以外の文字列を含む掲示板名称を送信するようにしたので、掲示板の名称に、数字以外の自由な文字列を使用することができる。
【００３７】
また、本発明の発呼側ファクシミリ装置では、他のファクシミリ装置から掲示板機能を有することを受信した場合に、掲示板名称及び画データを他のファクシミリ装置へ送信するようにしたので、名称による掲示板の設定を行うことができ、掲示板の利用し易さを向上することができる。
【００３８】
更に、本発明の被呼側ファクシミリ装置では、自身が掲示板機能を有するという通知に対して他のファクシミリ装置から掲示板名称及び画データを受信した場合に、受信した名称の掲示板に受信した画データを登録するようにしたので、名称にて掲示板を管理することができる。
【図面の簡単な説明】
【図１】本発明のファクシミリ装置の構成を示すブロック図である。
【図２】掲示板構造の一例を示す図である。
【図３】ファクシミリ通信における発呼側ファクシミリ装置と被呼側ファクシミリ装置との間での信号のやりとりを示すタイミングチャートである。
【図４】第１例における発呼側ファクシミリ装置と被呼側ファクシミリ装置との間での信号のやりとりを示すタイミングチャートである。
【図５】発呼側ファクシミリ装置の動作手順を示すフローチャートである。
【図６】被呼側ファクシミリ装置の動作手順を示すフローチャートである。
【図７】第２例における発呼側ファクシミリ装置と被呼側ファクシミリ装置との間での信号のやりとりを示すタイミングチャートである。
【図８】従来の掲示板機能を示す模式図である。
【符号の説明】
ＦＳ  発呼側ファクシミリ装置
ＦＲ  被呼側ファクシミリ装置
１  制御部
６  ＲＯＭ
９  掲示板登録部
【図１】
2004328162.tif 000003
【図２】
2004328162.tif 000004
【図３】
2004328162.tif 000005
【図４】
2004328162.tif 000006
【図５】
2004328162.tif 000007
【図６】
2004328162.tif 000008
【図７】
2004328162.tif 000009
【図８】
2004328162.tif 000010